(57)【要約】  装置は、筐体と、前記筐体の内部に設けられる回路基板と、前記回路基板の一方の一面を覆う弾性シートとを備え、前記筐体は、一方の側の一方開口と他方の側の他方開口とが形成されており、前記一方開口と前記他方開口との間において、前記回路基板の前記一面が延在する方向と交差する方向に延在する壁部を有し、前記弾性シートは、フランジ部を有し、前記フランジ部は、前記壁部に当接することにより撓んだ状態で配置されている。
2020121696.tif 000002
【特許請求の範囲】
【請求項１】
筐体と、
前記筐体の内部に設けられる回路基板と、
前記回路基板の一方の一面を覆う弾性シートと
を備え、
前記筐体は、
一方の側の一方開口と他方の側の他方開口とが形成されており、前記一方開口と前記他方開口との間において、前記回路基板の前記一面が延在する方向と交差する方向に延在する壁部を有し、
前記弾性シートは、
フランジ部を有し、
前記フランジ部は、
前記壁部に当接することにより撓んだ状態で配置されている
ことを特徴とする装置。
【請求項２】
前記壁部は、
一方の側よりも他方の側が前記弾性シートから遠ざかるように設けられた斜面部を含んで設けられ前記フランジ部と当接する押圧部を有する
ことを特徴とする請求項１に記載の装置。
【請求項３】
前記弾性シートは、
前記フランジ部の付け根部分から他方へ向けて延設されたスカート部を有する
ことを特徴とする請求項１または２に記載の装置。
【請求項４】
前記スカート部は、
前記回路基板を取り囲む周壁状に設けられている
ことを特徴とする請求項３に記載の装置。
【請求項５】
前記弾性シートは、
前記フランジ部に隣接して、一方の側から他方の側に貫通して形成された、または、前記フランジ部の一部を切り欠くことによって形成された第１の排水部を有する
ことを特徴とする請求項１から４のいずれか一項に記載の装置。
【請求項６】
前記他方開口を閉塞するアンダーカバーをさらに備え、
前記アンダーカバーは、
前記第１の排水部に対応して、当該アンダーカバーの一方の側から他方の側に貫通して形成された、または、前記第１の排水部に対応して、当該アンダーカバーの一部を切り欠くことによって形成された第２の排水部を有する
ことを特徴とする請求項５に記載の装置。
【請求項７】
前記アンダーカバーは、
一方へ突出して堤状に設けられ、且つ、前記回路基板の他方の側に当接し、且つ、前記回路基板との当接面が前記回路基板の他方の側に形成された配線パターンを取り囲む形状に設けられるリブを有する
ことを特徴とする請求項６に記載の装置。
【請求項８】
前記回路基板は、
当該回路基板の他方の側の前記当接面に取り囲まれた領域よりも外側の領域に、配線パターンおよびスルーホールのいずれも設けられていない
ことを特徴とする請求項７に記載の装置。
【請求項９】
車両のパワーシートを操作するためのスイッチ装置であって、
筐体と、
前記筐体の内部に設けられる回路基板と、
前記回路基板の一方の一面を覆う弾性シートと
を備え、
前記筐体は、
一方の側の一方開口と他方の側の他方開口とが形成されており、前記一方開口と前記他方開口との間において、前記回路基板の前記一面が延在する方向と交差する方向に延在する壁部を有し、
前記弾性シートは、
フランジ部を有し、
前記フランジ部は、
前記壁部に当接することにより撓んだ状態で配置されている
ことを特徴とするスイッチ装置。
【発明の詳細な説明】
【技術分野】
【０００１】
本発明は、装置およびスイッチ装置に関する。
【背景技術】
【０００２】
従来、筐体の内部に設けられた回路基板の表面を、ゴム等の弾性素材からなるカバーで覆うことにより、回路基板の防水性を高めることができるようにした技術が考案されている。例えば、下記特許文献１には、スイッチ装置に関し、固定接点、発光素子等が設けられた配線基板の上面全体を、ゴムシートで覆う技術が開示されている。
【先行技術文献】
【特許文献】
【０００３】
【特許文献１】実開平２−９８４２０号公報
【発明の概要】
【発明が解決しようとする課題】
【０００４】
しかしながら、従来技術では、筐体の内部においてカバーの表面上に浸入した水が、カバーの縁部の外側からカバーの裏側へ回り込んで、回路基板へ浸入してしまう虞がある。そこで、このような事態が生じないように、筐体の内部に設けられた回路基板に対する防水性をより高めることが可能な技術が求められている。
【課題を解決するための手段】
【０００５】
一実施形態の装置は、筐体と、前記筐体の内部に設けられる回路基板と、前記回路基板の一方の一面を覆う弾性シートとを備え、前記筐体は、一方の側の一方開口と他方の側の他方開口とが形成されており、前記一方開口と前記他方開口との間において、前記回路基板の前記一面が延在する方向と交差する方向に延在する壁部を有し、前記弾性シートは、フランジ部を有し、前記フランジ部は、前記壁部に当接することにより撓んだ状態で配置されている。
【発明の効果】
【０００６】
一実施形態によれば、筐体の内部に設けられた回路基板に対する防水性をより高めることができる。
【図面の簡単な説明】
【０００７】
【図１】一実施形態に係るパワーシートスイッチの外観斜視図である。
【図２】一実施形態に係るパワーシートスイッチにおけるスイッチ装置の取り付け構造を示す図である。
【図３】一実施形態に係るスイッチ装置の分解斜視図である。
【図４】一実施形態に係るラバーキャップの上面側からの外観斜視図である。
【図５】一実施形態に係るラバーキャップの下面からの外観斜視図である。
【図６】図４に示すラバーキャップのＡ−Ａ断面図である。
【図７】一実施形態に係るスイッチ装置のＹＺ平面による断面図である。
【図８】一実施形態に係るスイッチ装置のＸＹ平面による断面図である。
【図９】一実施形態に係るアンダーカバーの外観斜視図である。
【図１０】一実施形態に係る回路基板に規定される禁止領域を示す図である。
【発明を実施するための形態】
【０００８】
以下、図面を参照して、一実施形態について説明する。
【０００９】
（パワーシートスイッチ１００の概要）
図１は、一実施形態に係るパワーシートスイッチ１００の外観斜視図である。図１に示すパワーシートスイッチ１００は、車両のパワーシートの座高の高さやリクライニング角度の調整等を操作するための操作装置である。例えば、パワーシートスイッチ１００は、車内における所定の位置（例えば、運転席側のドアの車内側）に設置される。なお、本実施形態では、便宜上、図中Ｚ軸正方向を上方（特許請求の範囲に記載の「一方」の一例）とし、図中Ｚ軸負方向を下方（特許請求の範囲に記載の「他方」の一例）とする。
【００１０】
図１に示すように、パワーシートスイッチ１００は、本体１１０を備える。本体１１０には、その表面から部分的に隆起した台座部１１０Ａが形成されている。台座部１１０Ａには、スイッチ装置１２０およびスライド操作体１１２が設けられている。スイッチ装置１２０（特許請求の範囲に記載の「装置」および「スイッチ装置」の一例）は、パワーシートのリクライニング角度を調整するため操作がなされる操作部材であると共に、いわゆるロッカースイッチを内蔵しており当該ロッカースイッチを操作することによりヘッドレストの角度または位置を調整することができる。スライド操作体１１２は、パワーシートの前後位置を調整するための操作がなされる操作部材である。
【００１１】
パワーシートスイッチ１００は、本体１１０の側面に設けられた差込口１１０Ｂに対し、車両側から引き出されたケーブルの先端に設けられているコネクタ（図示省略）が接続されることによって、コネクタおよびケーブルを介して、車両側に搭載されたコントロールユニットに電気的に接続される。これにより、パワーシートスイッチ１００は、スイッチ装置１２０およびスライド操作体１１２の操作に応じた電気信号を、コントロールユニットに出力して、コントロールユニットにパワーシートの制御を行わせることが可能となる。
【００１２】
（スイッチ装置１２０の取り付け構造）
図２は、一実施形態に係るパワーシートスイッチ１００におけるスイッチ装置１２０の取り付け構造を示す図である。図２に示すように、スイッチ装置１２０は、本体１１０の台座部１１０Ａに対して取り付け可能である。
【００１３】
具体的には、台座部１１０Ａには、円形状を有する開口部１１０Ｃ，１１０Ｄが形成されている。一方、スイッチ装置１２０は、円筒形状を有する筒部１２６Ａ，１２６Ｂが、アンダーカバー１２６（図３参照）の下面から下方に突出して設けられている。
【００１４】
筒部１２６Ａは、開口部１１０Ｃから台座部１１０Ａ内に挿し込まれて、台座部１１０Ａの内部に設けられた他の構成部材（図示省略）に嵌合する。筒部１２６Ｂは、開口部１１０Ｄから台座部１１０Ａ内に挿し込まれて、台座部１１０Ａの内部に設けられた他の構成部材（図示省略）に嵌合する。これにより、スイッチ装置１２０は、台座部１１０Ａから容易に抜け落ちてしまわないように、台座部１１０Ａに取り付けられる。
【００１５】
なお、スイッチ装置１２０は、筒部１２６Ｂの内部を通って筒部１２６Ｂの先端から外部へ引き出されるケーブル１２７を有している。また、当該ケーブル１２７の先端に設けられたコネクタ１２７Ａが、本体１１０の内部において回路基板上に設けられたコネクタ（図示省略）に接続されることにより、本体１１０の内部に設けられた回路基板と電気的に接続される。
【００１６】
（スイッチ装置１２０の構造）
以下、スイッチ装置１２０について具体的に説明する。なお、以降の説明では、便宜上、図中Ｚ軸方向を垂直方向とし、図中Ｘ軸方向およびＹ軸方向を水平方向とする。
【００１７】
図３は、一実施形態に係るスイッチ装置１２０の分解斜視図である。図３に示すように、スイッチ装置１２０は、図中上方から順に、操作ノブ１２１、筐体１２２、ラバーキャップ１２３、スペーサ１２４、回路基板１２５、アンダーカバー１２６、およびケーブル１２７を備える。
【００１８】
操作ノブ１２１は、ロッカースイッチの操作部材であり、筐体１２２の上方の側に形成された上側開口１２２Ａ（特許請求の範囲に記載の「一方開口」の一例）内に配置され、筐体１２２によって、互いに異なる回動方向である第１の回動方向Ｄ１および第２の回動方向Ｄ２に回動可能に軸支される操作部材である。操作ノブ１２１は、回動軸を境界として一端側と他端側との各々に対する押圧操作が可能であり、ユーザによって一端側または他端側の押圧操作がなされる部材である。押圧操作されることによって、操作ノブ１２１は、第１の回動方向Ｄ１または第２の回動方向Ｄ２に回動し、回路基板１２５に実装されたスイッチ１２５Ａまたはスイッチ１２５Ｂを押圧し、パワーシートのヘッドレストの角度または位置の調整機能を動作させる。例えば、操作ノブ１２１は、樹脂素材を射出成形することによって形成される。
【００１９】
筐体１２２は、下方の側に下側開口１２２Ｃ（特許請求の範囲に記載の「他方開口」の一例）（図７参照）を有する容器状の部材である。筐体１２２の上方の側には、上方からの平面視において概ね矩形状の上側開口１２２Ａが形成されている。上側開口１２２Ａには、当該上側開口１２２Ａと略同形状の操作ノブ１２１が配置される。上側開口１２２Ａは、図中ＹＺ平面と略平行に設けられ互いに対向する一対の内壁面と、当該内壁面の間をつなぐように設けられた壁部１２２Ｄ，１２２Ｅ（００３７、００３８段落で説明する）の上方側の端部と、により構成されている。当該内壁面の各々には、操作ノブ１２１を回動可能に軸支するための凸状の軸支部１２２Ｂが形成されている。例えば、筐体１２２は、樹脂素材を射出成形することによって形成される。
【００２０】
ラバーキャップ１２３は、特許請求の範囲に記載の「弾性シート」の一例であり、回路基板１２５の上方の側を覆う部材である。回路基板１２５は、ラバーキャップ１２３によって覆われることにより、防水性が高められる。例えば、ラバーキャップ１２３は、ゴム、シリコン等の弾性素材がプレス成型されることによって形成される。なお、ラバーキャップ１２３は、回路基板１２５の表面に実装された電子部品（例えば、スイッチ１２５Ａ，１２５Ｂ、コネクタ１２５Ｃ）を覆うことができるように、当該電子部品と重なる部分が中空状に隆起した立体的形状を有している。
【００２１】
スペーサ１２４は、スイッチ１２５Ａ，１２５Ｂの上面と、ラバーキャップ１２３の内天面との間の隙間を埋めるべく、当該隙間内に設けられる平板状の部材である。
【００２２】
回路基板１２５は、複数の電子部品が実装される平板状の部材である。例えば、回路基板１２５には、ガラスエポキシ等の絶縁性素材からなるＰＷＢ（Printed Wiring Board）が用いられる。回路基板１２５の表面には、スイッチ１２５Ａ、スイッチ１２５Ｂ、およびコネクタ１２５Ｃが実装されている。スイッチ１２５Ａは、操作ノブ１２１の第１の回動方向Ｄ１への回動によって押圧されることにより、パワーシートのヘッドレストをユーザに近づけるまたは遠ざける方向へ動作させるためのスイッチ信号を出力する。スイッチ１２５Ｂは、操作ノブ１２１の第２の回動方向Ｄ２への回動によって押圧されることにより、パワーシートのヘッドレストをユーザから遠ざけるまたは近づける方向へ動作させるためのスイッチ信号を出力する。コネクタ１２５Ｃは、ケーブル１２７の他端部に設けられたコネクタ１２７Ｂが接続されることにより、スイッチ１２５Ａ，１２５Ｂから出力されたスイッチ信号を、ケーブル１２７を介して本体１１０へ送出できるようにする。
【００２３】
アンダーカバー１２６は、回路基板１２５が載置されることによって回路基板１２５の下面を支持するとともに、筐体１２２の下側開口１２２Ｃに取り付けられることによって、筐体１２２の下側開口１２２Ｃを閉塞する、平板状の部材である。アンダーカバー１２６の下面には、円筒形状を有する筒部１２６Ａ，１２６Ｂが、下方に突出して設けられている。
【００２４】
ケーブル１２７は、回路基板１２５から本体１１０へ、スイッチ１２５Ａ，１２５Ｂから出力されるスイッチ信号を伝送するための配線部材である。ケーブル１２７は、アンダーカバー１２６に設けられた筒部１２６Ｂの内部を貫通して、筐体１２２の外部へと引き出される。ケーブル１２７の一端部には、コネクタ１２７Ａが設けられている。コネクタ１２７Ａは、本体１１０の内部に設けられたコネクタ（図示せず）に接続される。ケーブル１２７の他端部には、コネクタ１２７Ｂが設けられている。コネクタ１２７Ｂは、回路基板１２５に設けられたコネクタ１２５Ｃに接続される。例えば、ケーブル１２７は、ポリエチレン、ビニール等の絶縁性素材で被覆された銅線が用いられる。
【００２５】
（ラバーキャップ１２３の構成）
図４は、一実施形態に係るラバーキャップ１２３の上面側からの外観斜視図である。図５は、一実施形態に係るラバーキャップ１２３の下面側からの外観斜視図である。図６は、図４に示すラバーキャップ１２３のＡ−Ａ断面図である。
【００２６】
図４〜図６に示すように、ラバーキャップ１２３は、スカート部１２３Ａ、フランジ部１２３Ｂ、フランジ部１２３Ｃ、切り欠き部１２３Ｄ、規制部１２３Ｅ、および規制部１２３Ｆを有する。
【００２７】
スカート部１２３Ａは、特許請求の範囲に記載の「スカート部」の一例であり、ラバーキャップ１２３の下面から下方へ向けて形成されたスカート状の部分である。スカート部１２３Ａは、ラバーキャップ１２３の下面の側に配置される回路基板１２５を取り囲むように周壁状に形成されている。
【００２８】
フランジ部１２３Ｂは、特許請求の範囲に記載の「フランジ部」の一例であり、ラバーキャップ１２３のスカート部１２３Ａの図中Ｙ軸負側の一部に沿って図中Ｘ軸方向に直線状に延在し、且つ、図中Ｙ軸負側に向けて延設された水平な平板状の部分である。
【００２９】
フランジ部１２３Ｃは、特許請求の範囲に記載の「フランジ部」の他の一例であり、ラバーキャップ１２３のスカート部１２３Ａの図中Ｙ軸正側の一部に沿って図中Ｘ軸方向に直線状に延在し、且つ、図中Ｙ軸正側に向けて延設された水平な平板状の部分である。
【００３０】
図６に示すように、ラバーキャップ１２３における図中Ｙ軸負側には、フランジ部１２３Ｂが水平且つ外側へ張り出しており、且つ、フランジ部１２３Ｂの付け根部分からスカート部１２３Ａが下方へ向けて延設された断面形状を有する。
【００３１】
また、図６に示すように、ラバーキャップ１２３における図中Ｙ軸正側には、フランジ部１２３Ｃが水平且つ外側へ張り出しており、且つ、フランジ部１２３Ｃの付け根部分から、スカート部１２３Ａが下方向けて延設された断面形状を有する。
【００３２】
切り欠き部１２３Ｄは、特許請求の範囲に記載の「第１の排水部」の一例であり、ラバーキャップ１２３の周縁部の一部が内側（図中Ｙ軸正側）に切り欠かれた部分である。図４および図５に示すように、本実施形態では、切り欠き部１２３Ｄは、ラバーキャップ１２３の上面の側に水が浸入してきた際のフランジ部１２３Ｂの上面での水の流路上における下流側（図中Ｘ軸正側）の端部に、フランジ部１２３Ｂの一部を切り欠くことによって形成されている。ここでの「下流側」とは、パワーシートスイッチ１００を所定の姿勢で車両に取り付けた状態において、重力方向におけるものが落下する側を意味し、すなわち、重力によって生じる水流の下流側を意味する。なお、切り欠き部１２３Ｄは、フランジ部１２３Ｂに隣接して、上方側から下方側に貫通して形成されてもよい。
【００３３】
規制部１２３Ｅ，１２３Ｆは、ラバーキャップ１２３の一部が台座状に高められることによって形成される壁状の部分である。規制部１２３Ｅは、スイッチ１２５Ａ，１２５Ｂを覆う凸状部１２３Ｇよりも図中Ｘ軸負側において、図中Ｙ軸に沿って直線状に設けられている壁状の部分である。規制部１２３Ｅは、ラバーキャップ１２３において、凸状部１２３Ｇが設けられている領域１２３Ｈよりも図中Ｘ軸負側の部分が、台座状に高められることによって形成される。規制部１２３Ｆは、凸状部１２３Ｇよりも図中Ｘ軸正側において、図中Ｙ軸に沿って直線状に設けられている壁状の部分である。規制部１２３Ｆは、ラバーキャップ１２３において、凸状部１２３Ｇが設けられている領域１２３Ｈよりも図中Ｘ軸正側の部分が、台座状に高められることによって形成される。なお、フランジ部１２３Ｂは、ラバーキャップ１２３における規制部１２３Ｅと規制部１２３Ｆとの間に挟まれた領域１２３Ｈの、図中Ｙ軸負側の端部に設けられている。これにより、ラバーキャップ１２３は、筐体１２２の内部に浸入した水を、領域１２３Ｈから外側に流出しないように規制部１２３Ｅ，１２３Ｆによって規制しつつ、フランジ部１２３Ｂへ導くことが可能となっている。
【００３４】
（スイッチ装置１２０の断面構造）
図７は、一実施形態に係るスイッチ装置１２０のＹＺ平面による断面図である。図７に示すように、スイッチ装置１２０は、筐体１２２の上側開口１２２Ａ内に操作ノブ１２１が取り付けられた状態で、筐体１２２の下側開口１２２Ｃから、互いに重なり合った状態の、ラバーキャップ１２３、スペーサ１２４、回路基板１２５、およびアンダーカバー１２６が、筐体１２２内に組み込まれ、さらに、アンダーカバー１２６が筐体１２２に対してネジ止め固定される。これにより、スイッチ装置１２０は、操作ノブ１２１の押圧操作により、ラバーキャップ１２３およびスペーサ１２４を介して、スイッチ１２５Ａ，１２５Ｂを押圧することが可能となる。
【００３５】
図７に示す状態のスイッチ装置１２０において、回路基板１２５の上方の側の面である上面は、全域に亘って、ラバーキャップ１２３に覆われている。これにより、スイッチ装置１２０は、万が一、上側開口１２２Ａにおける操作ノブ１２１の周囲の隙間から、筐体１２２内に水が浸入した場合であっても、ラバーキャップ１２３によって、上方からの回路基板１２５の浸水を阻止できるようになっている。
【００３６】
加えて、スイッチ装置１２０は、ラバーキャップ１２３の下面の側に設けられた周壁状のスカート部１２３Ａにより、回路基板１２５が取り囲まれている。特に、スカート部１２３Ａは、回路基板１２５の下面よりも低い位置まで下方へ向けて延設されている。これにより、スイッチ装置１２０は、万が一、ラバーキャップ１２３の下面の側に水が浸入した場合であっても、側方からの回路基板１２５への浸水を、スカート部１２３Ａによって阻止できるようになっている。
【００３７】
また、図７に示す状態のスイッチ装置１２０の図中Ｙ軸負側においては、筐体１２２は図中Ｚ軸正側に形成されている上側開口１２２Ａと図中Ｚ軸負側に形成されている下側開口１２２Ｃとの間において、回路基板１２５の図中Ｚ軸正側、または、図中Ｚ軸負側の一面が延在する方向（ＸＹ平面方向）と交差する方向に延在する壁部１２２Ｄを有している。そして、壁部１２２Ｄの内表面に、ラバーキャップ１２３のフランジ部１２３Ｂが突き当たり、当該フランジ部１２３Ｂが壁部１２２Ｄに押圧されて下方に撓んだ状態で配置されている。これにより、スイッチ装置１２０は、壁部１２２Ｄとフランジ部１２３Ｂとが密着して、両者の間に隙間が生じないようになっているため、万が一、ラバーキャップ１２３の上面上に水が浸入した場合であっても、当該水がフランジ部１２３Ｂの下面の側に回り込むことなく、当該水がフランジ部１２３Ｂの上面に沿って下流方向（図中Ｘ軸正方向）に流れるようにすることができる。特に、スイッチ装置１２０は、フランジ部１２３Ｂが下方へ撓むことにより、フランジ部１２３Ｂの上面と壁部１２２Ｄの内表面とによる溝ｄ１が形成されるため、筐体１２２内に浸入した水が、溝ｄ１内を流れるようになる。したがって、筐体１２２内に浸入した水をより確実にフランジ部１２３Ｂの下流方向へ導くことができる。
【００３８】
同様に、図７に示す状態のスイッチ装置１２０において、図中Ｙ軸正側においては、筐体１２２に回路基板１２５のなす平面と交差する壁部１２２Ｅが設けられている。そして、壁部１２２Ｅの内表面に、ラバーキャップ１２３のフランジ部１２３Ｃが突き当たり、当該フランジ部１２３Ｃが壁部１２２Ｅに押圧されて下方に撓んだ状態で配置されている。これにより、スイッチ装置１２０は、壁部１２２Ｅとフランジ部１２３Ｃとが密着して、両者の間に隙間が生じないようになっているため、万が一、ラバーキャップ１２３の上面上に水が浸入した場合であっても、当該水がフランジ部１２３Ｃの下面の側に回り込むことなく、当該水がフランジ部１２３Ｃの上面に沿って下流方向（図中Ｘ軸正方向）に流れるようにすることができる。特に、スイッチ装置１２０は、フランジ部１２３Ｃが下方へ撓むことにより、フランジ部１２３Ｃの上面と壁部１２２Ｅの内表面とによる溝ｄ２が形成されるため、筐体１２２内に浸入した水が、溝ｄ２内を流れるようになる。したがって、筐体１２２内に浸入した水をより確実にフランジ部１２３Ｃの下流方向へ導くことができる。
【００３９】
なお、図７に示すように、壁部１２２Ｄ，１２２Ｅは、フランジ部１２３Ｂ，１２３Ｃと当接する押圧部１２２ａ，１２２ｂを有している。そして、押圧部１２２ａ，１２２ｂは、上方の側（Ｚ軸正側）よりも下方の側（Ｚ軸負側）がラバーキャップ１２３から遠ざかるように設けられた斜面部１２２ａ１、１２２ｂ１（特許請求の範囲に記載の「斜面部」の一例）を含んでいる。押圧部１２２ａ，１２２ｂは、特許請求の範囲に記載の「押圧部」の一例であり、筐体１２２の内部における壁部１２２Ｄと壁部１２２Ｅとの間隔を部分的に狭める狭幅部を形成する。当該狭幅部は、フランジ部１２３Ｃの上面と僅かに重なる位置に形成されており、狭幅部に対して下方からラバーキャップ１２３が押し込まれた際に、狭幅部がフランジ部１２３Ｂ，１２３Ｃと当接することにより、フランジ部１２３Ｂ，１２３Ｃを下方に撓ませる。これにより、スイッチ装置１２０は、筐体１２２の下側開口１２２Ｃから、ラバーキャップ１２３、スペーサ１２４、回路基板１２５、およびアンダーカバー１２６を、筐体１２２の内部における所定の高さ位置まで押し込むだけで、フランジ部１２３Ｂ，１２３Ｃを、押圧部１２２ａ，１２２ｂによって下方に撓んだ状態にすることができる。
【００４０】
すなわち、スイッチ装置１２０は、フランジ部１２３Ｂ，１２３Ｃによる高い止水性を有しながらも、各構成部品を容易に筐体１２２内に組み込むことができる。また、スイッチ装置１２０は、フランジ部１２３Ｂ，１２３Ｃが下方に撓むようにしたことで、フランジ部１２３Ｂ，１２３Ｃの製造誤差を、フランジ部１２３Ｂ，１２３Ｃの撓み量によって許容することができる。
【００４１】
さらに、スイッチ装置１２０は、フランジ部１２３Ｂ，１２３Ｃの付け根部分にスカート部１２３Ａを設けたことにより分岐点となったフランジ部１２３Ｂ，１２３Ｃの付け根部分は補強されるため、ラバーキャップ１２３のフランジ部１２３Ｂ，１２３Ｃの先端側のみを選択的に撓ませることができ、よって、ラバーキャップ１２３のその他の部分の回路基板１２５からの浮き上がりを抑制することができる。
【００４２】
（スイッチ装置１２０における水流）
図８を参照して、スイッチ装置１２０における水流を説明する。図８は、一実施形態に係るスイッチ装置１２０のＸＹ平面による断面図である。
【００４３】
上側開口１２２Ａから筐体１２２内に浸入した水は、ラバーキャップ１２３の上面において、上側開口１２２Ａと重なる位置に設けられている、規制部１２３Ｅと規制部１２３Ｆとの間に挟まれた領域１２３Ｈ内に流れ落ちる。
【００４４】
領域１２３Ｈ内に流れ落ちた水は、図８の矢印Ａ１に示すように、重力に従い、当該領域１２３Ｈ内を、当該領域１２３Ｈの図中Ｙ軸負側に形成されたフランジ部１２３Ｂへと流れる。または、領域１２３Ｈ内に流れ落ちた水は、図８の矢印Ａ２に示すように、重力に従い、当該領域１２３Ｈ内を、当該領域１２３Ｈの図中Ｘ軸正側に形成された規制部１２３Ｆへと流れる。
【００４５】
規制部１２３Ｆへ流れた水は、図８の矢印Ｂ２に示すように、重力に従い、規制部１２３Ｆに沿って、下流方向（図中Ｙ軸負方向）へ流れ、規制部１２３Ｆの下流側に形成された切り欠き部１２３Ｄから、フランジ部１２３Ｂを貫通して、アンダーカバー１２６の上面へと流れ落ちる。
【００４６】
一方、フランジ部１２３Ｂへ流れた水は、図８の矢印Ｂ１に示すように、重力に従い、フランジ部１２３Ｂに沿って、下流方向（図中Ｘ軸正方向）へ流れ、フランジ部１２３Ｂの下流側に形成された切り欠き部１２３Ｄから、フランジ部１２３Ｂを貫通して、アンダーカバー１２６の上面へと流れ落ちる。
【００４７】
特に、フランジ部１２３Ｂと壁部１２２Ｄとの密着部には、フランジ部１２３Ｂが下方へ撓むことにより溝ｄ１（図７参照）が形成されるため、フランジ部１２３Ｂへ流れた水は、当該溝ｄ１内を流れることによって、より確実に切り欠き部１２３Ｄへ導かれる。
【００４８】
アンダーカバー１２６の上面へ流れ落ちた水は、図８の矢印Ｃに示すように、アンダーカバー１２６に縁部における切り欠き部１２３Ｄよりも下流側（図中Ｘ軸正側）に形成された排水口１２６Ｃ（特許請求の範囲に記載の「第２の排水部」の一例）から、アンダーカバー１２６を貫通し、スイッチ装置１２０の外部へと流れ落ちる。本実施形態では、排水口１２６Ｃは、ラバーキャップ１２３の切り欠き部１２３Ｄに対応する位置に、アンダーカバー１２６の縁部の一部を切り欠くことによって形成されている。なお、排水口１２６Ｃは、アンダーカバー１２６の上方の側から下方の側に貫通して形成されてもよい。
【００４９】
なお、図８に示すように、切り欠き部１２３Ｄは、壁部１２２Ｄの内表面に形成されたリブ１２２Ｆとの干渉を回避するように内側に切り欠かれている。リブ１２２Ｆは、アンダーカバー１２６の縁部に形成された係合溝１２６Ｄ（図３参照）と係合することにより、筐体１２２に対するアンダーカバー１２６の位置決めを容易に行うことができるようにするために設けられている。すなわち、切り欠き部１２３Ｄは、リブ１２２Ｆとの干渉を回避する機能と、ラバーキャップ１２３の裏側への排水機能とを兼ね備えている。
【００５０】
（アンダーカバー１２６の載置面１２６Ｅの構成）
図９は、一実施形態に係るアンダーカバー１２６の外観斜視図である。図９に示すように、アンダーカバー１２６は、当該アンダーカバー１２６の載置面１２６Ｅから上方へ突出して堤状に設けられ、且つ、上方の側が回路基板１２５の下面に当接し、且つ、回路基板１２５との当接面が回路基板１２５の下面に形成された配線パターンを取り囲む形状に設けられるリブ１２６Ｆを有する。リブ１２６Ｆは、特許請求の範囲に記載の「リブ」の一例であり、載置面１２６Ｅよりも高さ位置が高められていることにより、当該リブ１２６Ｆに囲まれた領域内への水の進入を防止する止水壁として機能する。なお、リブ１２６Ｆによって囲まれる、回路基板１２５の下面の一部の領域は、より高い防水性が求められる領域であり、例えば、配線パターンおよびスルーホールが設けられてもよい領域である。
【００５１】
（禁止領域１２５Ｄ）
図１０は、一実施形態に係る回路基板１２５に規定される禁止領域１２５Ｄを示す図である。図１０では、アンダーカバー１２６の載置面１２６Ｅに載置された状態の回路基板１２５を示している。また、図１０では、回路基板１２５の裏側に設けられたリブ１２６Ｆを、破線で示しており、回路基板１２５の下面に規定された禁止領域１２５Ｄを、ハッチングを付して示している。
【００５２】
図１０に示すように、回路基板１２５の下面には、リブ１２６Ｆの当接面に取り囲まれた領域よりも外側の領域が、禁止領域１２５Ｄとして規定されている。禁止領域１２５Ｄは、配線パターンおよびスルーホールの設置が禁止された領域である。すなわち、本実施形態のスイッチ装置１２０は、回路基板１２５における禁止領域１２５Ｄに、配線パターンおよびスルーホールが設けられていない。これにより、本実施形態のスイッチ装置１２０は、万が一、回路基板１２５の禁止領域１２５Ｄが浸水した場合であっても、配線パターンが電蝕する、スルーホールを介して回路基板１２５の表面側が浸水する、等の不具合が生じないようになっている。
【００５３】
また、図１０に示すように、禁止領域１２５Ｄは、リブ１２６Ｆよりも僅かに内側に拡大されている。これにより、万が一、互いに当接するリブ１２６Ｆの上面と回路基板１２５の下面との隙間から、リブ１２６Ｆに囲まれた領域内に僅かに浸水した場合であっても、予めその浸水部分に配線パターンおよびスルーホールが設けられないようにしているため、配線パターンが電蝕する、スルーホールを介して回路基板１２５の表面側が浸水する、等の不具合が生じないようになっている。
【００５４】
なお、禁止領域１２５Ｄには、グランドパターンが設けられていてもよい。グランドパターンは、万が一浸水した場合であっても、電位差が生じないため、電蝕するといった不具合が生じないからである。
【００５５】
以上説明したように、一実施形態に係るスイッチ装置１２０は、回路基板１２５の上方の側の表面を覆うラバーキャップ１２３が、フランジ部１２３Ｂ，１２３Ｃを有し、フランジ部１２３Ｂ，１２３Ｃは、筐体１２２の壁部１２２Ｄ，１２２Ｅに押圧されて撓んだ状態で配置される。これにより、一実施形態に係るスイッチ装置１２０は、フランジ部１２３Ｂ，１２３Ｃの弾性復帰力により、フランジ部１２３Ｂ，１２３Ｃが壁部１２２Ｄ，１２２Ｅの内表面に押し当てられて密着した状態を維持することができる。特に、一実施形態に係るスイッチ装置１２０は、フランジ部１２３Ｂ，１２３Ｃが下方に撓むようにしたことで、フランジ部１２３Ｂ，１２３Ｃの製造誤差を、フランジ部１２３Ｂ，１２３Ｃの撓み量によって許容し、フランジ部１２３Ｂ，１２３Ｃが壁部１２２Ｄ，１２２Ｅの内表面に押し当てられて密着した状態を維持することができる。したがって、一実施形態に係るスイッチ装置１２０によれば、ラバーキャップ１２３によって当該ラバーキャップ１２３の上面の側からの浸水を防ぐことができるとともに、フランジ部１２３Ｂ，１２３Ｃと壁部１２２Ｄ，１２２Ｅとの間からのラバーキャップ１２３の下面の側への浸水を防ぐことができ、よって、筐体１２２の内部に設けられた回路基板１２５に対する防水性をより高めることができる。
【００５６】
また、一実施形態に係るスイッチ装置１２０において、壁部１２２Ｄ，１２２Ｅは、上方の側よりも下方の側がラバーキャップ１２３から遠ざかるように設けられた斜面部１２２ａ１、１２２ｂ１を含んで設けられフランジ部１２３Ｂ，１２３Ｃと当接する押圧部１２２ａ，１２２ｂを有する。これにより、一実施形態に係るスイッチ装置１２０は、筐体１２２の下側開口１２２Ｃから、ラバーキャップ１２３および回路基板１２５を、筐体１２２の内部における所定の高さ位置まで押し込むだけで、フランジ部１２３Ｂ，１２３Ｃを、押圧部１２２ａ，１２２ｂによって下方に撓んだ状態にすることができる。したがって、一実施形態に係るスイッチ装置１２０によれば、筐体１２２の内部に設けられた回路基板１２５に対する防水性をより高めることができ、また、当該スイッチ装置１２０の組み立て容易性を高めることができる。
【００５７】
また、一実施形態に係るスイッチ装置１２０において、ラバーキャップ１２３は、ラバーキャップ１２３の周縁部に沿って延在し、且つ、フランジ部１２３Ｂ，１２３Ｃの付け根部分から下方へ向けて延設されたスカート部１２３Ａを有する。これにより、一実施形態に係るスイッチ装置１２０は、万が一、フランジ部１２３Ｂ，１２３Ｃの下面の側に水が浸入した場合であっても、回路基板１２５の側方からの回路基板１２５への浸水を、スカート部１２３Ａによって阻止することができる。また、一実施形態に係るスイッチ装置１２０は、スカート部１２３Ａを設けたことにより分岐点となったフランジ部１２３Ｂ，１２３Ｃの付け根部分は補強されるため、フランジ部１２３Ｂ，１２３Ｃの先端側のみを選択的に撓ませることができ、よって、ラバーキャップ１２３の回路基板１２５からの浮き上がりを抑制することができる。したがって、一実施形態に係るスイッチ装置１２０によれば、筐体１２２の内部に設けられた回路基板１２５に対する防水性をより高めることができる。
【００５８】
また、一実施形態に係るスイッチ装置１２０において、スカート部１２３Ａは、回路基板１２５を取り囲む周壁状に設けられている。これにより、一実施形態に係るスイッチ装置１２０は、回路基板１２５における外周縁部の全域に亘って、回路基板１２５の側方からの回路基板１２５への浸水を、スカート部１２３Ａによって阻止することができる。したがって、一実施形態に係るスイッチ装置１２０によれば、筐体１２２の内部に設けられた回路基板１２５に対する防水性をより高めることができる。
【００５９】
また、一実施形態に係るスイッチ装置１２０において、ラバーキャップ１２３は、フランジ部１２３Ｂ，１２３Ｃが延在する経路上に、上方の側から下方の側に貫通して形成された、または、フランジ部１２３Ｂ，１２３Ｃの一部を切り欠くことによって形成された切り欠き部１２３Ｄを有する。これにより、一実施形態に係るスイッチ装置１２０は、フランジ部１２３Ｂ，１２３Ｃ上を流れる水を、切り欠き部１２３Ｄから、フランジ部１２３Ｂ，１２３Ｃの下面の側へ排出することができる。すなわち、一実施形態に係るスイッチ装置１２０は、フランジ部１２３Ｂ，１２３Ｃ上に水が溜まってしまうことを防止することができ、よって、フランジ部１２３Ｂ，１２３Ｃと壁部１２２Ｄ，１２２Ｅとの間からのラバーキャップ１２３の下面の側への浸水をより生じ難くすることができる。したがって、一実施形態に係るスイッチ装置１２０によれば、筐体１２２の内部に設けられた回路基板１２５に対する防水性をより高めることができる。
【００６０】
また、一実施形態に係るスイッチ装置１２０において、筐体１２２の下側開口１２２Ｃを閉塞するアンダーカバー１２６は、切り欠き部１２３Ｄに対応して、または、当該アンダーカバー１２６の上方の側から下方の側に貫通して形成された、または、当該アンダーカバー１２６の縁部を切り欠くことによって形成された排水口１２６Ｃを有する。これにより、一実施形態に係るスイッチ装置１２０は、切り欠き部１２３Ｄからアンダーカバー１２６上に流れ落ちてアンダーカバー１２６上を流れる水を、排水口１２６Ｃから、アンダーカバー１２６の下面の側（すなわち、スイッチ装置１２０の外部）へ排出することができる。すなわち、一実施形態に係るスイッチ装置１２０は、アンダーカバー１２６上に水が溜まってしまうことを防止することができ、よって、ラバーキャップ１２３とアンダーカバー１２６との間からの回路基板１２５への浸水をより生じ難くすることができる。したがって、一実施形態に係るスイッチ装置１２０によれば、筐体１２２の内部に設けられた回路基板１２５に対する防水性をより高めることができる。
【００６１】
また、一実施形態に係るスイッチ装置１２０において、アンダーカバー１２６は、当該アンダーカバー１２６の載置面１２６Ｅから上方へ突出して堤状に設けられ、且つ、上方の側が回路基板１２５の下面に当接し、且つ、回路基板１２５との当接面が回路基板１２５の下面に形成された配線パターンを取り囲む形状に設けられるリブ１２６Ｆを有する。これにより、一実施形態に係るスイッチ装置１２０は、万が一、アンダーカバー１２６の載置面１２６Ｅに水が浸入した場合であっても、当該水によって回路基板１２５の下面の一部の領域（例えば、配線パターンおよびスルーホールが設けられてもよい領域）が浸水してしまうことを、リブ１２６Ｆによって防ぐことができる。したがって、一実施形態に係るスイッチ装置１２０によれば、筐体１２２の内部に設けられた回路基板１２５に対する防水性をより高めることができる。
【００６２】
また、一実施形態に係るスイッチ装置１２０において、回路基板１２５は、当該回路基板１２５の下面におけるリブ１２６Ｆに取り囲まれた領域よりも外側の領域（禁止領域１２５Ｄ）に、配線パターンおよびスルーホールのいずれも設けられていない。これにより、一実施形態に係るスイッチ装置１２０は、万が一、回路基板１２５の禁止領域１２５Ｄが浸水した場合であっても、配線パターンが電蝕する、スルーホールを介して回路基板１２５の表面側が浸水する、等の不具合が生じないようにすることができる。
【００６３】
以上、本発明の一実施形態について詳述したが、本発明はこれらの実施形態に限定されるものではなく、特許請求の範囲に記載された本発明の要旨の範囲内において、種々の変形又は変更が可能である。
【００６４】
例えば、上記実施形態では、本発明を、パワーシートを操作するための操作ノブを有するスイッチ装置に適用した例で説明したが、これに限らず、本発明は、少なくとも筐体の内部において回路基板の一方側を弾性シートで覆う構成を採用したものであれば、如何なる装置にも適用可能である。
【００６５】
本国際出願は、２０１８年１２月１２日に出願した日本国特許出願第２０１８−２３２６４６号に基づく優先権を主張するものであり、当該出願の全内容を本国際出願に援用する。
【符号の説明】
【００６６】
１００  パワーシートスイッチ
１１０  本体
１１０Ａ  台座部
１２０  装置
１２１  操作ノブ
１２２  筐体
１２２ａ，１２２ｂ  押圧部
１２２Ｃ  下側開口
１２２Ｄ，１２２Ｅ  壁部
１２３  ラバーキャップ（弾性シート）
１２３Ａ  スカート部
１２３Ｂ，１２３Ｃ  フランジ部
１２３Ｄ  切り欠き部（第１の排水部）
１２４  スペーサ
１２５  回路基板
１２５Ｄ  禁止領域
１２６  アンダーカバー
１２６Ｃ  排水口（第２の排水部）
１２６Ｅ  載置面
１２６Ｆ  リブ
１２７  ケーブル
【図１】
2020121696.tif 000003
【図２】
2020121696.tif 000004
【図３】
2020121696.tif 000005
【図４】
2020121696.tif 000006
【図５】
2020121696.tif 000007
【図６】
2020121696.tif 000008
【図７】
2020121696.tif 000009
【図８】
2020121696.tif 000010
【図９】
2020121696.tif 000011
【図１０】
2020121696.tif 000012
【国際調査報告】
2020121696.tif 000013
2020121696.tif 000014
2020121696.tif 000015
2020121696.tif 000016